(57)【要約】【課題】スピンドルと排水弁とを接続するチェーンの長さの調節を一層容易にすることができる排水弁用フックを提供する。【解決手段】排水弁用フック１０は、便器洗浄タンク９０に設けられたスピンドル８０と、繰り返し要素としてのボール７１及び連結材７２が一定のピッチＰで順次接続されてなり、スピンドル８０の動作によって排水弁６０を開閉して便器洗浄タンク９０内の洗浄水を吐水及び止水可能な玉鎖７０とを接続するために用いられる。  排水弁用フック１０は、線材が屈曲されることにより、棒状に延びる棒状部１１と、棒状部１１の一方側に位置し、スピンドル８０の係止穴８０ｂに係止されるスピンドル係止部３１と、棒状部１１の他方側に位置し、玉鎖７０の各連結材７２を係止可能な玉鎖係止部１２とが形成されている。玉鎖係止部１２は、ピッチＰとは異なる間隔Ｌ１で互いに上下方向に離れる第１、２玉鎖係止部１２ａ、１２ｂからなる。【選択図】図１
2007303217.tif 000002
【特許請求の範囲】
【請求項１】
便器洗浄タンクに回動可能に設けられたスピンドルと、繰り返し要素が一定のピッチで順次接続されてなり、該スピンドルの動作によって排水弁を開閉して該便器洗浄タンク内の洗浄水を吐水及び止水可能なチェーンとを接続するために用いられ、
一端から他端まで延びる線材が屈曲されることにより、棒状に延びる棒状部と、該棒状部の一方側に位置し、前記スピンドルに貫設された係止穴に係止されるスピンドル係止部と、該棒状部の他方側に位置し、前記チェーンの各前記繰り返し要素を係止可能なチェーン係止部とが形成された排水弁用フックにおいて、
前記スピンドル係止部及び前記チェーン係止部の少なくとも一方は、前記ピッチとは異なる間隔で互いに上下方向に離れる複数個にされていることを特徴とする排水弁用フック。
【請求項２】
前記チェーン係止部は、前記ピッチとは異なる間隔で互いに上下方向に離れる複数個にされている請求項１記載の排水弁用フック。
【請求項３】
便器洗浄タンクに回動可能に設けられたスピンドルと、繰り返し要素が一定のピッチで順次接続されてなり、該スピンドルの動作によって排水弁を開閉して該便器洗浄タンク内の洗浄水を吐水及び止水可能なチェーンとを接続するために用いられ、
一端から他端まで延びる線材が屈曲されることにより、棒状に延びる棒状部と、該棒状部の一方側に位置し、前記スピンドルに貫設された係止穴に係止されるスピンドル係止部と、該棒状部の他方側に位置し、前記チェーンの各前記繰り返し要素を係止可能なチェーン係止部とが形成された排水弁用フックにおいて、
前記チェーンは、前記繰り返し要素が中空のボールと、該ボールを自己に対して回動可能に接続する連結材とからなる玉鎖であり、
前記チェーン係止部は、前記一端側と前記他端側とを互いに近づく方向に押圧することにより、該ボールの外径より大きくなり、該一端側と該他端側との押圧を解除することにより、該ボールの外径より小さくなるように形成されていることを特徴とする排水弁用フック。
【発明の詳細な説明】
【技術分野】
【０００１】
本発明は排水弁用フックに関する。
【背景技術】
【０００２】
特許文献１に便器洗浄タンクに適用される従来の排水弁用フックが開示されている。この排水弁用フックは、便器洗浄タンクに回動可能に設けられたスピンドルと、繰り返し要素が一定のピッチで順次接続されてなるチェーンとを接続するために用いられるものである。
【０００３】
チェーンは、具体的には、繰り返し要素が中空のボールと、ボールを自己に対して回動可能に接続する連結材とからなる玉鎖である。玉鎖のチェーンは、捩れが生じずに安定した動作を発揮する。そして、チェーンの上端は、排水弁用フックによってスピンドルと接続され、チェーンの下端は、便器洗浄タンクの排水弁に接続されている。このため、例えば、便器洗浄タンクの外側に設けられたレバーを操作することにより、スピンドルが回動すると、チェーンは、スピンドルの動作によって排水弁を開閉して便器洗浄タンク内の洗浄水を吐水及び止水可能となっている。
【０００４】
このようにして用いられる従来の排水弁用フックは、一端から他端まで延びる線材が屈曲されることにより、棒状に延びる棒状部と、棒状部の一方側に位置し、スピンドルに貫設された係止穴に係止されるスピンドル係止部と、棒状部の他方側に位置し、チェーンの各繰り返し要素を係止可能なチェーン係止部とが形成されている。
【０００５】
具体的には、排水弁用フックは、棒状部の一方側から延在する線材の一端側が折り返されることにより、棒状部の一方側とスピンドル係止部とで略逆「Ｕ」字形状とされている。また、排水弁用フックは、棒状部の他方側から延在する線材の他端側が折り返されることにより、棒状部の他方側とチェーン係止部とで略「Ｕ」字形状とされている。
【０００６】
このため、この排水弁用フックは、スピンドル係止部をスピンドルの係止穴に係止させ、さらにチェーン係止部にチェーンの各繰り返し要素のうちの一つを係止させることによって、スピンドルとチェーンとを接続することができる。この際、各繰り返し要素のなかから特定の一つを選択することにより、繰り返し要素の一定のピッチの間隔の下、スピンドルと排水弁とを接続するチェーンの長さを調節することができる。その結果、従来の排水弁用フックが適用された便器洗浄タンクでは、スピンドルの動作に対する排水弁の開閉を適当に調整することが可能となっている。
【０００７】
【特許文献１】実開平６−７４６７４号公報
【発明の開示】
【発明が解決しようとする課題】
【０００８】
しかし、従来の排水弁用フックに対しては、スピンドルと排水弁とを接続するチェーンの長さの調節を一層容易にすることが望まれていた。
【０００９】
本発明は、上記従来の実情に鑑みてなされたものであって、スピンドルと排水弁とを接続するチェーンの長さの調節を一層容易にすることができる排水弁用フックを提供することを解決すべき課題としている。
【課題を解決するための手段】
【００１０】
第１発明の排水弁用フックは、便器洗浄タンクに回動可能に設けられたスピンドルと、繰り返し要素が一定のピッチで順次接続されてなり、該スピンドルの動作によって排水弁を開閉して該便器洗浄タンク内の洗浄水を吐水及び止水可能なチェーンとを接続するために用いられ、
一端から他端まで延びる線材が屈曲されることにより、棒状に延びる棒状部と、該棒状部の一方側に位置し、前記スピンドルに貫設された係止穴に係止されるスピンドル係止部と、該棒状部の他方側に位置し、前記チェーンの各前記繰り返し要素を係止可能なチェーン係止部とが形成された排水弁用フックにおいて、
前記スピンドル係止部及び前記チェーン係止部の少なくとも一方は、前記ピッチとは異なる間隔で互いに上下方向に離れる複数個にされていることを特徴とする。
【００１１】
このような構成である第１発明の排水弁用フックは、スピンドル係止部をスピンドルの係止穴に係止させ、さらにチェーン係止部をチェーンの各繰り返し要素のうちの一つに係止させることによって、スピンドルとチェーンとを接続することができる。この際、各繰り返し要素のなかから特定の一つを選択することにより、繰り返し要素の一定のピッチの間隔の下、スピンドルと排水弁とを接続するチェーンの長さを調節することができる。
【００１２】
ここで、この排水弁用フックでは、スピンドル係止部及びチェーン係止部の少なくとも一方が複数個にされている。複数個のスピンドル係止部又はチェーン係止部は、繰り返し要素の一定のピッチとは異なる間隔で互いに上下方向（すなわち、チェーンの延びる方向）に離れている。
【００１３】
このため、スピンドル係止部が複数個にされている場合には、この排水弁用フックは、複数個のスピンドル係止部のなかから特定の一つを選択することにより、繰り返し要素の一定のピッチとは異なる間隔の下、スピンドルと排水弁とを接続するチェーンの長さを調節することができる。
【００１４】
また、チェーン係止部が複数個にされている場合には、この排水弁用フックは、複数個のチェーン係止部のなかから特定の一つを選択することにより、繰り返し要素の一定のピッチとは異なる間隔の下、スピンドルと排水弁とを接続するチェーンの長さを調節することができる。
【００１５】
スピンドル係止部及びチェーン係止部が複数個にされている場合も同様である。
【００１６】
その結果、この排水弁用フックが適用された便器洗浄タンクでは、スピンドルの動作に対する排水弁の開閉をより細かく調整することが可能となっている。
【００１７】
したがって、第１発明の排水弁用フックは、スピンドルと排水弁とを接続するチェーンの長さの調節を一層容易にすることができる。
【００１８】
スピンドル係止部が複数個にされている具体例としては、スピンドル係止部が２個ある場合で言えば、棒状部の一方側から延在する線材の一端側が折り返されることにより、棒状部の一方側と１つ目のスピンドル係止部とで略逆「Ｕ」字形状とされ、さらに、線材の一端側が棒状部と略平行に折り返されて、１つ目のスピンドル係止部よりも一方側に長く突出する第２棒状部が形成され、第２棒状部の一方側から延在する線材の一端側が折り返されることにより、第２棒状部の一方側と２つ目のスピンドル係止部とで略逆「Ｕ」字形状とされ得る。この場合、１つ目のスピンドル係止部と２つ目のスピンドル係止部とは、繰り返し要素の一定のピッチとは異なる間隔で互いに上下方向に離れている。
【００１９】
チェーン係止部が繰り返し要素の一定のピッチとは異なる間隔で互いに上下方向に離れる複数個にされている具体例としては、チェーン係止部が２個ある場合で言えば、棒状部の他方側から延在する線材の他端側が折り返されることにより、棒状部の他方側と１つ目のチェーン係止部とで略「Ｕ」字形状とされ、さらに、線材の他端側が棒状部と略平行に折り返されて、１つ目のチェーン係止部よりも他方側に突出しない第２棒状部が形成され、第２棒状部の他方側から延在する線材の他端側が折り返されることにより、第２棒状部の他方側と２つ目のチェーン係止部とで略「Ｕ」字形状とされ得る。この場合、１つ目のチェーン係止部と２つ目のチェーン係止部とは、繰り返し要素の一定のピッチとは異なる間隔で互いに上下方向に離れている。
【００２０】
なお、実開昭５６−７８５号公報に開示されている排水弁用フックは、複数個のチェーン係止用溝が形成された板状のものであり、一端から他端まで延びる線材が屈曲されてなる第１発明の排水弁用フックとは構成が異なる。第１発明の排水弁用フックは、線材が屈曲されてなるものであるため、この文献に開示された排水弁用フックと比べて簡易であり、安価なものとなる。
【００２１】
第１発明の排水弁用フックにおいて、前記チェーン係止部は、前記ピッチとは異なる間隔で互いに上下方向に離れる複数個にされていることが好ましい。スピンドルの係止穴は浅くないことが多く、スピンドル係止部を複数個にすると、排水弁用フックが大型化してしまいやすい。これに対し、チェーンの各繰り返し要素はさほど大きくないことから、チェーン係止部が複数個であれば、排水弁用フックの小型化を実現できる。
【００２２】
第２発明の排水弁用フックは、便器洗浄タンクに回動可能に設けられたスピンドルと、繰り返し要素が一定のピッチで順次接続されてなり、該スピンドルの動作によって排水弁を開閉して該便器洗浄タンク内の洗浄水を吐水及び止水可能なチェーンとを接続するために用いられ、
一端から他端まで延びる線材が屈曲されることにより、棒状に延びる棒状部と、該棒状部の一方側に位置し、前記スピンドルに貫設された係止穴に係止されるスピンドル係止部と、該棒状部の他方側に位置し、前記チェーンの各前記繰り返し要素を係止可能なチェーン係止部とが形成された排水弁用フックにおいて、
前記チェーンは、前記繰り返し要素が中空のボールと、該ボールを自己に対して回動可能に接続する連結材とからなる玉鎖であり、
前記チェーン係止部は、前記一端側と前記他端側とを互いに近づく方向に押圧することにより、該ボールの外径より大きくなり、該一端側と該他端側との押圧を解除することにより、該ボールの外径より小さくなるように形成されていることを特徴とする。
【００２３】
このような構成である第２発明の排水弁用フックも、スピンドル係止部をスピンドルの係止穴に係止させ、さらにチェーン係止部に玉鎖のうちの一つを係止させることによって、スピンドルとチェーンとを接続することができる。この際、玉鎖のなかから特定の一つを選択することにより、繰り返し要素の一定のピッチの間隔の下、スピンドルと排水弁とを接続するチェーンの長さを調節することができる。
【００２４】
ここで、この排水弁用フックでは、チェーン係止部は、一端側と他端側とを互いに近づく方向に押圧することにより、ボールの外径より大きくなり、一端側と他端側との押圧を解除することにより、ボールの外径より小さくなるように形成されている。このため、この排水弁用フックは、単なる押圧によりチェーン係止部に玉鎖を挿通させた後、押圧の解除により玉鎖を確実に保持することができる。また、チェーン係止部に係止した玉鎖の長さを再び調整しようとする場合、単に押圧するだけで係止するボールを容易にずらすことができる。その結果、この排水弁用フックが適用された便器洗浄タンクでは、スピンドルの動作に対する排水弁の開閉を何度も容易に調整することが可能となっている。
【００２５】
したがって、第２発明の排水弁用フックも、スピンドルと排水弁とを接続するチェーンの長さの調節を一層容易にすることができる。
【発明を実施するための最良の形態】
【００２６】
以下、本発明を具体化した実施例１、２を図面を参照しつつ、説明する。なお、図１〜図８において、上方側が一方側であり、下方側が他方側である。
【実施例１】
【００２７】
図１に示すように、実施例１の排水弁用フック１０は、便器洗浄タンク９０に適用されて、便器洗浄タンク９０の側壁に回動可能に設けられたスピンドル８０と、繰り返し要素が一定のピッチＰで順次接続されてなるチェーンとしての玉鎖７０とを接続するために用いられるものである。
【００２８】
より詳しくは、スピンドル８０は、便器洗浄タンク９０の側壁に配設された軸受９１に回動可能に支承され、便器洗浄タンク９０内に水平状に突出されている。便器洗浄タンク９０の側壁の外側には、スピンドル８０に連結され、揺動操作することによりスピンドル８０を回動可能なレバー９２が取り付けられている。スピンドル８０の先端には、下方側に垂れ下がる垂下部８０ａが一体形成されており、垂下部８０ａには、水平方向に係止穴８０ｂが貫設されている。
【００２９】
玉鎖７０は、繰り返し要素が中空のボール７１と、ボール７１を自己に対して回動可能に接続する棒状の連結材７２とからなり、捩れが生じずに安定した動作を発揮可能なものである。そして、玉鎖７０の上端７０ａは、排水弁用フック１０によってスピンドル８０の垂下部８０ａと接続され、玉鎖７０の下端７０ｂは、便器洗浄タンク９０の底壁に設置された排水弁６０に接続されている。
【００３０】
排水弁６０は、便器洗浄タンク９０の底壁から下方に延在する排出管５６の上端に形成された弁座部６１に当接し、又は離れることにより開閉し、便器洗浄タンク９０と排出管５６との間の排水経路を開放又は遮断するものである。玉鎖７０の上端７０ａから下端７０ｂまでの長さは、レバー９２が操作されていない状態では、玉鎖７０が弛んで、排水弁６０を引き上げず、レバー９２が操作されてスピンドル８０が回動された状態では、玉鎖７０が緊張して、排水弁６０を引き上げることができる長さに調整されている。このため、便器洗浄タンク９０の外側に設けられたレバー９２を操作することにより、スピンドル８０が回動すると、玉鎖７０は、スピンドル８０の動作によって排水弁６０を開閉して便器洗浄タンク９０内の洗浄水を吐水及び止水可能となっている。
【００３１】
このようにして用いられる実施例１の排水弁用フック１０は、図２に示すように、一端１０ａから他端１０ｂまで延びる金属製の線材（線径：０．５〜１．５ｍｍ程度）が屈曲されることにより、棒状に延びる棒状部１１と、棒状部１１の一方側に位置し、スピンドル８０に貫設された係止穴８０ｂに係止されるスピンドル係止部３１と、棒状部１１の他方側に位置し、玉鎖７０の各繰り返し要素を係止可能なチェーン係止部としての玉鎖係止部１２とが形成されている。そして、玉鎖係止部１２は、後述する通り、第１玉鎖係止部１２ａと第２玉鎖係止部１２ｂとの２個にされている。
【００３２】
より詳しくは、排水弁用フック１０は、棒状部１１の一方側から延在する線材の一端１０ａ側が曲率の大きな円弧状に１８０°を超えて折り返され、さらに略「＜」字形状に屈曲されることにより、棒状部１１の一方側とスピンドル係止部３１とで略「Ｒ」字形状とされている。この略「Ｒ」字形状により、スピンドル係止部３１は、係止穴８０ｂから抜け落ち難くなっている。
【００３３】
また、排水弁用フック１０は、棒状部１１の他方側から延在する線材の他端１０ｂ側が曲率の小さな円弧状に１８０°を超えて折り返されることにより第１折り返し部１３が形成され、さらに、第１折り返し部１３から棒状部１１の一方側に接近しつつ延在する第２棒状部１４が形成されている。そして、第２棒状部１４の一方側から延在する線材の他端１０ｂ側が曲率の小さな円弧状に約１８０°折り返されることにより第２折り返し部１５が形成され、さらに、第２折り返し部１５から第２棒状部１４の他方側に略平行に延在する第３棒状部１６が形成されている。そして、第３棒状部１６の他方側から延在する線材の他端１０ｂ側が曲率の小さな円弧状に１８０°を超えて折り返されることにより第３折り返し部１７が形成され、さらに、第３折り返し部１７から第３棒状部１６の一方側及び棒状部１１の一方側に接近しつつ延在する第４棒状部１８が形成されている。そして、第４棒状部１８の一方側から延在する線材の他端１０ｂ側が棒状部１１から離れるように屈曲された後、再び棒状部１１に接近するように屈曲されて、棒状部１１の一方側に延在する湾曲部１９が形成されている。
【００３４】
湾曲部１９と棒状部１１とにより形成される開口１９ａは、玉鎖７０を構成するボール７１の直径よりも充分大きくされ、玉鎖７０を挿通し易くなっている。
【００３５】
棒状部１１と第２折り返し部１５との隙間Ｗ１、第２折り返し部１５と第４棒状部１８との隙間Ｗ２、及び棒状部１１と第４棒状部１８の一方側との隙間Ｗ３は、玉鎖７０を構成する連結材７２の軸径よりも大きくされており、開口１９ａに挿通された玉鎖７０の連結材７２が隙間Ｗ１、Ｗ２、Ｗ３を通過可能となっている。
【００３６】
第１折り返し部１３及び第３折り返し部１７の曲率は、玉鎖７０を構成するボール７１が通過できない大きさとされている。
【００３７】
第１折り返し部１３と第３折り返し部１７とは、繰り返し要素の一定のピッチＰとは異なる間隔Ｌ１で互いに上下方向（玉鎖７０の延びる方向）で離れている。間隔Ｌ１は、ピッチＰの約１／２とされ、第３折り返し部１７の方が第１折り返し部１３より上方に配置されている。
【００３８】
棒状部１１と第１折り返し部１３と第２棒状部１４とにより第１玉鎖係止部１２ａが構成されている。また、第３棒状部１６と第３折り返し部１７と第４棒状部１８とにより第２玉鎖係止部１２ｂが構成されている。そして、第１玉鎖係止部１２ａと第２玉鎖係止部１２ｂとは、繰り返し要素の一定のピッチＰとは異なる間隔Ｌ１で互いに上下方向（玉鎖７０の延びる方向）で離れている。
【００３９】
このような構成である実施例１の排水弁用フック１０は、図３に示すように、スピンドル係止部３１をスピンドル８０の係止穴８０ｂに係止させることにより、スピンドル８０に取り付けられる。そして、排水弁用フック１０の開口１９ａに玉鎖７０を挿通させ、第１玉鎖係止部１２ａに玉鎖７０の各繰り返し要素である連結材７２のうちの一つを係止させることによって、スピンドル８０と玉鎖７０とを接続することができる。この際、各繰り返し要素である連結材７２のなかから特定の一つを選択することにより、繰り返し要素の一定のピッチＰの間隔の下、スピンドル８０と排水弁６０とを接続する玉鎖７０の長さを調節することができる。
【００４０】
また、この排水弁用フック１０は、図４に示すように、第２玉鎖係止部１２ｂに玉鎖７０の各繰り返し要素である連結材７２のうちの一つを係止させることによっても、スピンドル８０と玉鎖７０とを接続することができる。この際、各繰り返し要素である連結材７２のなかから特定の一つを選択することにより、繰り返し要素の一定のピッチＰとは異なる間隔Ｌ１の下、スピンドル８０と排水弁６０とを接続する玉鎖の長さを調節することができる。特に間隔Ｌ１がピッチＰの約１／２であることから、この排水弁用フック１０は、ピッチＰの約１／２の間隔の下、スピンドル８０と排水弁６０とを接続する玉鎖７０の長さを調節することが可能となっている。
【００４１】
その結果、この排水弁用フック１０が適用された便器洗浄タンク９０では、スピンドル８０の動作に対する排水弁６０の開閉をより細かく調整することができている。
【００４２】
したがって、実施例１の排水弁用フック１０は、スピンドル８０と排水弁６０とを接続する玉鎖７０の長さの調節を一層容易にすることができている。
【００４３】
また、この排水弁用フック１０において、玉鎖係止部１２は、繰り返し要素の一定のピッチＰとは異なる間隔Ｌ１で互いに上下方向に離れる第１玉鎖係止部１２ａ及び第２玉鎖係止部１２ｂの２個にされている。そして、玉鎖７０の各繰り返し要素であるボール７１及び連結材７２がさほど大きくないことから、スピンドル係止部３１が複数個にされる場合と比較して、排水弁用フック１０の小型化を実現できている。
【実施例２】
【００４４】
図５に示す形状の実施例２の排水弁用フック２０も、実施例１の排水弁用フック１０と同様に、便器洗浄タンク９０に適用されて、便器洗浄タンク９０の側壁に回動可能に設けられたスピンドル８０と、繰り返し要素が一定のピッチＰで順次接続されてなるチェーンとしての玉鎖７０とを接続するために用いられるものである。そして、この排水弁用フック２０が適用された便器洗浄タンク９０でも、便器洗浄タンク９０の外側に設けられたレバー９２を操作することにより、スピンドル８０が回動すると、玉鎖７０は、スピンドル８０の動作によって排水弁６０を開閉して便器洗浄タンク９０内の洗浄水を吐水及び止水可能となっている。
【００４５】
このようにして用いられる実施例２の排水弁用フック２０は、一端２０ａから他端２０ｂまで延びる金属製の線材（線径：０．５〜１．５ｍｍ程度）が屈曲されることにより、棒状に延びる棒状部２１と、棒状部２１の一方側に位置し、スピンドル８０に貫設された係止穴８０ｂに係止されるスピンドル係止部３２と、棒状部２１の他方側に位置し、玉鎖７０の各繰り返し要素を係止可能なチェーン係止部としての玉鎖係止部２２とが形成されている。
【００４６】
より詳しくは、排水弁用フック２０は、棒状部２１の一方側から延在する線材の一端２０ａ側が曲率の大きな円弧状に１８０°を超えて折り返され、さらに略「＜」字形状に屈曲されることにより、棒状部２１の一方側とスピンドル係止部３２とで略「Ｒ」字形状とされている。この略「Ｒ」字形状により、スピンドル係止部３２は、係止穴８０ｂから抜け落ち難くなっている。
【００４７】
また、排水弁用フック２０は、棒状部２１の他方側から延在する線材の他端１０ｂ側が略「＜」字形状に屈曲されることにより第１屈曲部２２ａが形成され、第１屈曲部２２ａの他方側が１８０°を超えて折り返されることにより第１折り返し部２３が形成され、第１折り返し部１３から棒状部２１の一方側に向けて延在する線材の他端１０ｂ側が略「＞」字形状に屈曲されることにより第２屈曲部２２ｂが形成されている。そして、第１屈曲部２２ａと第２屈曲部２２ｂとにより略菱形状の開口２２ｃが形成されている。さらに、第２屈曲部２２ｂの一方側から延在する線材の他端２０ｂ側が棒状部２１から離れつつ棒状部２１の一方側に突出した後、再度棒状部２１に接近するように屈曲されることにより押圧部２４が形成されている。
【００４８】
第１屈曲部２２ａと第２屈曲部２２ｂと第１折り返し部２３と押圧部２４とにより玉鎖係止部２２が形成されている。そして、玉鎖係止部２２は、図６に示すように、押圧部２４を押して、一端２０ａ側と他端２０ｂ側とを互いに近づく方向に押圧することにより、開口２２ｃがボール７１の外径より大きくなり、図５に示すように、押圧部２４を押すのを止めて、一端２０ａ側と他端２０ｂ側との押圧を解除することにより、開口２２ｃがボールの外径７１より小さくなるようになっている。
【００４９】
このような構成である実施例２の排水弁用フック２０も、図７に示すように、スピンドル係止部３２をスピンドル８０の係止穴８０ｂに係止させることにより、スピンドル８０に取り付けられる。次に、押圧部２４を押して開口２２ｃを大きくした状態で、玉鎖７０を玉鎖係止部２２に挿通させ、玉鎖係止部２２に玉鎖７０の各繰り返し要素である連結材７２のうちの一つを置き掛ける。そして、図８に示すように、押圧部２４を押すのを止めて開口２２ｃを小さくすることにより、玉鎖係止部２２が玉鎖７０を確実に保持する。こうして、この排水弁用フック２０は、スピンドル８０と玉鎖７０とを接続することができる。この際、玉鎖７０を構成する連結材７２のなかから特定の一つを選択することにより、繰り返し要素の一定のピッチＰの間隔の下、スピンドル８０と排水弁６０とを接続する玉鎖７０の長さを調節することができる。
【００５０】
また、玉鎖係止部２２に係止した玉鎖７０の長さを再び調整しようとする場合、図７に示すように、単に押圧部２４を押圧するだけで、係止するボール７１を容易にずらすことができる。その結果、この排水弁用フック２０が適用された便器洗浄タンク９０では、スピンドル８０の動作に対する排水弁６０の開閉を何度も容易に調整することが可能となっている。
【００５１】
したがって、実施例２の排水弁用フック２０も、スピンドル８０と排水弁６０とを接続する玉鎖７０の長さの調節を一層容易にすることができている。
【００５２】
以上において、本発明を実施例１、２に即して説明したが、本発明は上記実施例１、２に制限されるものではなく、その趣旨を逸脱しない範囲で適宜変更して適用できることはいうまでもない。
【産業上の利用可能性】
【００５３】
本発明は排水弁用フックに利用可能である。
【図面の簡単な説明】
【００５４】
【図１】実施例１の排水弁用フックが適用される便器洗浄タンクの模式図である。
【図２】実施例１の排水弁用フックの正面図である。
【図３】実施例１の排水弁用フックに係り、玉鎖が第１玉鎖係止部に係止された状態を示す部分拡大模式図である。
【図４】実施例１の排水弁用フックに係り、玉鎖が第２玉鎖係止部に係止された状態を示す部分拡大模式図である。
【図５】実施例２の排水弁用フックの正面図である（一端側と他端側との押圧を解除した状態）。
【図６】実施例２の排水弁用フックの正面図である（一端側と他端側とを互いに近づく方向に押圧した状態）。
【図７】実施例２の排水弁用フックに係り、玉鎖係止部を大きくして、玉鎖の長さ調整をしている状態を示す部分拡大模式図である。
【図８】実施例２の排水弁用フックに係り、玉鎖係止部を小さくして、玉鎖を保持している状態を示す部分拡大模式図である。
【符号の説明】
【００５５】
１０、２０…排水弁用フック
１１、２１…棒状部
３１、３２…スピンドル係止部
１２、２２…チェーン係止部（玉鎖係止部）
１１、１３、１４…第１玉鎖係止部（１１…棒状部、１３…第１折り返し部、１４…第２棒状部）
１６、１７、１８…第２玉鎖係止部（１６…第３棒状部、１７…第３折り返し部、１８…第４棒状部）
２４…押圧部
６０…排水弁
７０…チェーン（玉鎖）
７１、７２…繰り返し要素（７１…ボール、７２…連結材）
８０…スピンドル
８０ｂ…係止穴
９０…便器洗浄タンク
Ｐ…ピッチ
Ｌ１…ピッチとは異なる間隔
【図１】
2007303217.tif 000003
【図２】
2007303217.tif 000004
【図３】
2007303217.tif 000005
【図４】
2007303217.tif 000006
【図５】
2007303217.tif 000007
【図６】
2007303217.tif 000008
【図７】
2007303217.tif 000009
【図８】
2007303217.tif 000010